(57)【要約】  【課題】  用紙にスジの入ることがなく用紙に腰をもたせることができ、また排出経路上に用紙の後端が留まらないようにすると共に、用紙が振動して騒音が生ずることなく、排紙トレイ上にきちんと用紙を整列させることができるようにする。  【解決手段】  円筒形状のコロ本体１１の両端側に複数の突起１２ａ，１２ｂを周方向に形成し、コロ本体１１の軸方向から見て、一方の端側に形成された突起１２ａと突起１２ａの間に、もう一方の端側に形成された突起１２ｂの少なくとも一部が露出する構成とした。ここで用紙の後端を排紙トレイに確実に押し出すためには、突起１２ａ，１２ｂを同一形状とし、コロ本体１１の両端側にそれぞれ周方向に等角度に形成するのが好ましく、さらには両端側間の突起１２ａ，１２ｂの形成周期の位相差を１／２周期とするのが好ましい。【選択図】      図２
2005059985.tif 000002
【特許請求の範囲】
【請求項１】
円筒形状のコロ本体の両端側に複数の突起が周方向に形成され、コロ本体の軸方向から見て、一方の端側に形成された突起と突起の間に、もう一方の端側に形成された突起の少なくとも一部が露出していることを特徴とする用紙排出用コロ。
【請求項２】
前記複数の突起が同一形状をなし、前記コロ本体の両端側にそれぞれ周方向に等角度で形成されている請求項１記載の用紙排出用コロ。
【請求項３】
両端側間の突起の形成周期の位相差が１／２周期である請求項２記載の用紙排出用コロ。
【請求項４】
用紙幅方向に配置された回転駆動軸に固定された排出ローラと、この排出ローラに圧接して従動する用紙排出用コロとを備え、前記排出ローラと前記用紙排出用コロとで用紙を挟持して排出する用紙排出装置において、
前記用紙排出用コロとして、請求項１〜３のいずれかに記載の用紙排出用コロを用いることを特徴とする用紙排出装置。
【発明の詳細な説明】
【技術分野】
【０００１】
本発明は、用紙排出用コロ（以下、単に「コロ」と略すことがある）及びこれを用いた用紙排出装置（以下、単に「排出装置」と略すことがある）に関し、より詳細には複写機やプリンタ、ファクシミリなどの画像形成装置に用いられるコロ及びこれを用いた排出装置に関するものである。
【背景技術】
【０００２】
排紙トレイ上に排出された用紙をきちんと整列させるため、例えば図６に示すようなコロ６を従来用いていた。図６のコロ６は、円筒状のコロ本体１１の中心に軸部１３が形成され、またコロ本体１１の両端側に、軸方向外方に向かって徐々に拡径してなる大径部１４が一体成形されてなる。そして図７に示すように、弾性部材からなる排出ローラ２にこのコロ６を圧接して排出ローラ２の回転に従動可能とし、排出ローラ２とコロ６との間で用紙Ｐを挟持して、用紙Ｐにいわゆる腰をつけて排紙トレイ上に排出していた。しかし、このようなコロ６を用いると、用紙の種類によっては排出ローラ２とコロ６とで挟持した時に用紙Ｐにスジが入ってしまうことがあった。また、用紙Ｐの排出速度が遅い場合には、用紙Ｐが排出ローラ２とコロ６との挟持を外れた後、用紙Ｐの後端が排出経路上に留まり、後続の用紙の円滑な排出を妨げて、排紙トレイ上の用紙の整列が乱れることがあった。
【０００３】
このため例えば図８に示すようなコロ７が提案されている。このコロ７は、円筒状のコロ本体１１の両端側に同一形状の複数の突起１２ａ，１２ｂが形成されてなる。これらの複数の突起１２ａ，１２ｂは周方向に等角度で且つ両端側間の形成周期に位相差ないように形成されている。このようなコロ７によれば、排出ローラ２とコロ７とで挟持された時に用紙Ｐにスジの入ることが抑えられ、またコロ７の突起１２ａ，１２ｂで用紙Ｐの後端が押し出されるので、排出経路上に用紙の後端が留まることが効果的に防止される。
【特許文献１】特開２００１−４８３９２号公報（（００３１）段〜（００３５）段、図４）
【特許文献２】特開２００１−３９５９８号公報（（０００２）段〜（０００５）段、図８〜図１１）
【発明の開示】
【発明が解決しようとする課題】
【０００４】
しかし、形成する突起１２ａ，１２ｂの高さが高すぎると用紙Ｐが小刻みに振動し騒音の発生することがある。一方、突起１２ａ，１２ｂの高さが低すぎると用紙Ｐに腰を付けられず排紙トレイ上の用紙の整列が乱れる。このためコロ７に形成する突起１２ａ，１２ｂの高さを精度よく制御する必要があるが、金型成形により作製されるようなコロ７の寸法精度を高くすることは技術的困難性を伴いコストアップに直結する。
【０００５】
本発明はこのような従来の問題に鑑みてなされたものであり、その目的とするところは、排出ローラとコロとで用紙を挟持した時に、用紙にスジの入ることがなく用紙に腰をもたせることができ、また排出経路上に用紙の後端が留まらないようにすると共に、用紙が振動して騒音が発生することなく、排紙トレイ上にきちんと用紙を整列させることができる用紙排出用コロ及び用紙排出装置を提供することにある。
【課題を解決するための手段】
【０００６】
前記目的を達成するため本発明の用紙排出用コロでは、円筒形状のコロ本体の両端側に複数の突起を周方向に形成し、コロ本体の軸方向から見て、一方の端側に形成された突起と突起の間に、もう一方の端側に形成された突起の少なくとも一部が露出する構成とした。
【０００７】
ここで用紙の後端を排紙トレイに確実に押し出すためには、複数の突起を同一形状とし、前記コロ本体の両端側にそれぞれ周方向に等角度に形成するのが好ましく、さらには両端側間の突起の形成周期の位相差を１／２周期とするのが好ましい。
【０００８】
また本発明の用紙排出装置では、用紙幅方向に配置された回転駆動軸に固定された排出ローラと、この排出ローラに圧接して従動する用紙排出用コロとを備え、前記排出ローラと前記用紙排出用コロとで用紙を挟持して排出し、用紙排出用コロとして、前記に記載の用紙排出用コロを用いる構成とした。
【発明の効果】
【０００９】
本発明の用紙排出用コロ及び用紙排出装置では、円筒形状のコロ本体の両端側に複数の突起を周方向に形成しているので、突起の傾斜部分で用紙の後端を排紙トレイ方向に押し出すことができ、排出経路上に用紙の後端が留まることを防止できる。また、コロ本体の軸方向から見て、一方の端側に形成された突起と突起の間に、もう一方の端側に形成された突起の少なくとも一部が露出するようにしたので、突起の高さを厳密に調節することなく、用紙に腰を付けられると同時に突起による用紙の微振動発生を抑えることができ振動による騒音を防止できる。
【００１０】
複数の突起を同一形状とし、コロ本体の両端側にそれぞれ周方向に等角度に形成する、さらには両端側間の突起の形成周期の位相差を１／２周期とすると、用紙の後端を排紙トレイに確実に押し出すことができる。
【発明を実施するための最良の形態】
【００１１】
以下、図に基づいて本発明のコロ及び排出装置について説明する。なお、本発明はこれらの実施形態に何ら限定されるものではない。
【００１２】
図１に、本発明の排出装置の一実施形態を示す斜視図を示す。図１の排出装置には、用紙幅方向に配置された、不図示のモータによって回転する回転駆動軸３に、軸方向に略等間隔で４個の排出ローラ２が固定されている。この排出ローラ２の少なくとも外表面は弾性を有する。
【００１３】
一方、各排出ローラ２の下方対向位置にはコロ１がそれぞれ配設されている。図２に、コロ１の斜視図を示す。このコロ１は、円筒形状のコロ本体１１と、その中心に形成された軸部１３と、コロ本体１１の両端側の外周面に形成された複数の突起１２ａ，１２ｂとが一体成形されてなる。図３に、図２のコロの突起１２ａ，１２ｂの形成具合を示す図を示す。同図（ａ）及び（ｂ）はコロ１の左端側及び右端側の突起１２ａ，１２ｂの形成具合を示した図である。コロ本体１１の端側に形成されている突起１２ａ，１２ｂはすべて同じ形状であり、側面視において略台形状である。突起１２ａ，１２ｂは、両端側のそれぞれに周方向に周期θ＝４５°で８個形成されている。
【００１４】
同図（ｃ）にコロ１の左側面図を示す。この図では、理解しやすいように左端側の突起１２ａを実線で示し、右端側の突起１２ｂを破線で示している。前記のように、左端側の突起１２ａと右端側の突起１２ｂとは同じように周期θ＝４５°で円周方向に形成され、左端側の突起１２ａと右端側の突起１２ｂとの形成周期の位相差は１／２周期（２２．５°）とされている。これにより、同図（ｃ）から明らかなように、左端側の突起１２ａと突起１２ａとの間に、右端側の突起１２ｂが位置するようになる。
【００１５】
図１に戻って、排出装置のフレーム体５にコロ１の軸部１３が回転可能に支持されることにより、コロ１はフレーム５に対して回転可能に取り付けられている。そして、軸部１３を支持しているフレーム体５及び回転駆動軸３の少なくとも一方が不図示の付勢手段によって両者が近づく方向に付勢されている。これにより、コロ本体１１と排出ローラ２とが圧接している。なお、配設する排出ローラ２及びコロ１の個数に限定はなく、また用紙Ｐが通過する位置であれば排出ローラ２及びコロ１の軸方向の配設位置に特に限定はない。図１の排出装置では幅方向中央部を用紙Ｐが通過するので、幅方向中央を基準として対称に排出ローラ２及びコロ１を配設しているが、幅方向の一方側を基準として用紙Ｐが通過する場合には、排出ローラ２及びコロ１を当該一方側を基準として配設すればよい。
【００１６】
不図示のモータの駆動によって回転駆動軸３が回転すると、回転駆動軸３に固定されている排出ローラ２が回転すると同時に、排出ローラ２に圧接しているコロ１も排出ローラ２の回転に従って回転する。用紙Ｐは、排出ローラ２とコロ本体１１との間で挟持されて、図１の左奥側の画像形成装置内から右手前側の排紙トレイ４上に排出される。
【００１７】
このとき、図３（ｃ）に示したように、コロ本体１１の軸方向から見て、コロの一方の端側に形成された突起１２ａと突起１２ａの間に、もう一方の端側に形成された突起１２ｂが露出するようにコロ１は構成されているので、突起１２ａ，１２ｂの高さが精度よく調節されていない場合であっても、用紙Ｐにスジが入ることなく、腰を持たせた状態で用紙Ｐを排出することができる。また、排出速度の遅い装置であっても、突起１２ａ，１２ｂの傾斜部分で用紙Ｐの後端を押し出すことができるので排出経路上に用紙後端が留まることがない。
【００１８】
図４に、本発明のコロの他の実施形態を示す側面図を示す。図４のコロ１’は、コロ本体１１の左端側には周方向に９０°ごとに４個の略台形状の突起１２ａが形成されている一方（同図（ａ））、右端側には周方向に４５°ごとに８個の同じ略台形状の突起１２ｂが形成されている（同図（ｂ））。コロ１’の左側面図を同図（ｃ）に示す。この図から理解されるように、図４のコロ１’では、左側面視において左端側の突起１２ａと突起１２ａの間に、右端側の突起１２ｂが２つ露出するようになる。かかる構成のコロ１’でも、前記の効果が奏される。
【００１９】
図５に、本発明のコロのさらに他の実施形態を示す側面図を示す。図５のコロ１”は、コロ本体１１の左右の端側に形成する突起の形状が異なる場合である。コロ本体１１の左端側には周方向に９０°ごとに４個の略台形状の突起１２ａが形成されている一方（同図（ａ））、右端側には周方向に９０°ごとに円周方向に長い４個の突起１２ｃが形成されている（同図（ｂ））。コロ１”の左側面図を同図（ｃ）に示す。この図から理解されるように、図５のコロ１”では、左側面視において左端側の突起１２ａと突起１２ａの間の長い空間を埋めるように、右端側の突起１２ｃが露出するようになる。かかる構成のコロ１”でも前記の効果が奏される。
【００２０】
コロ本体の左右の端側に形成する突起は、軸方向から見たときに、一方の端側に形成された突起間の空間をできるだけ多く埋めるように一方の端側の突起が形成されているのが望ましい。より望ましくは、図３に示したような、同一形状の突起を周方向に等角度に形成し、両端側間の突起の形成周期の位相差を１／２周期とすることである。突起の形状は側面視において略台形状が好ましく、その上辺の長さは２πｒ／（突起の総個数）であることが望ましく（ここでｒは軸中心から突起上面までの距離）、突起のコロ本体からの高さは１〜２ｍｍ程度が望ましい。
【００２１】
本発明のコロは従来公知の製法で作製することができ、生産性やコストを考慮すれば金型成形で作製することが推奨される。またコロの材料に特に限定はないが、金型成形により作製する場合にはプラスチックである必要があり、摩耗性や滑り性などを考慮すればプラスチックの中でもポリアセタールが好適である。
【図面の簡単な説明】
【００２２】
【図１】本発明の用紙搬送装置の一例を示す斜視図である。
【図２】本発明の用紙排出用コロの一例を示す斜視図である。
【図３】図２の用紙排出用コロの突起の形成状態を示す側面図である。
【図４】本発明の用紙排出用コロの他の例を示す側面図である。
【図５】本発明の用紙排出用コロのさらに他の例を示す側面図である。
【図６】従来の用紙排出用コロの一例を示す斜視図である。
【図７】従来の用紙排出用コロ及び用紙排出装置を示す正面図である。
【図８】従来の用紙排出用コロの他の例を示す斜視図である。
【符号の説明】
【００２３】
１，１’，１”    用紙排出用コロ
２    排出ローラ
３    回転駆動軸
４    排紙トレイ
１１    コロ本体
１２ａ，１２ｂ，１２ｃ  突起
１３    軸部
１４    大径部
【図１】
2005059985.tif 000003
【図２】
2005059985.tif 000004
【図３】
2005059985.tif 000005
【図４】
2005059985.tif 000006
【図５】
2005059985.tif 000007
【図６】
2005059985.tif 000008
【図７】
2005059985.tif 000009
【図８】
2005059985.tif 000010